(57)【要約】【課題】デッキプレートによって構成される床において、水平ブレースを用いることなく剛床仮定を成立させることができる床構造を提供する。【解決手段】床構造１００は、少なくとも方向Ｄ１に連結された複数のデッキプレート２１で構成される連結体２２を有する平面視矩形状の床２０と、床２０の端縁２０ａ，２０ｂ，２０ｃ，２０ｄを支持するように架けられた４本の床梁４０Ａ，４０Ｂ，４０Ｃ，４０Ｄと、を備えている。また、一のデッキプレート２１は、隣り合う他のデッキプレート２１と緊結され、床２０の四方の端縁２０ａ，２０ｂ，２０ｃ，２０ｄは、床梁４０Ａ，４０Ｂ，４０Ｃ，４０Ｄにそれぞれ緊結されている。このような構成によって、床２０の水平剛性が確保され、容易に剛床仮定が成立する床構造とすることができる。【選択図】図２
2013023984.tif 000002
【特許請求の範囲】
【請求項１】
少なくとも波形状が連続する第１の方向に連結された複数のデッキプレートで構成される連結体を有する平面視矩形状の床と、
前記床の端縁を支持するように架けられた４本の床梁と、を備え、
一の前記デッキプレートは、隣り合う他の前記デッキプレートと緊結され、
前記床の四方の端縁は、対応する前記床梁にそれぞれ緊結されたことを特徴とする鉄骨造建物の床構造。
【請求項２】
前記連結体は、
平面視において前記第１の方向と直交する第２の方向に対向し、波状の断面形状を有する第１の波状端縁、及び第２の波状端縁と、
前記第１の方向に対向し、直線状に延びる断面形状を有する第１の直線状端縁、及び第２の直線状端縁と、を有し、
前記床の前記第１の波状端縁、第２の波状端縁、第１の直線状端縁、及び前記第２の直線状端縁は、対応する前記床梁にそれぞれ緊結手段によって直接的に緊結されることを特徴とする請求項１記載の鉄骨造建物の床構造。
【請求項３】
前記床は、調整部材を更に有し、
前記連結体は、
平面視において前記第１の方向と直交する第２の方向に対向し、波状の断面形状を有する第１の波状端縁、及び第２の波状端縁と、
前記第１の方向に対向し、直線状に延びる断面形状を有する第１の直線状端縁、及び第２の直線状端縁と、を有し、
前記床の前記第１の波状端縁、第２の波状端縁、及び第１の直線状端縁は、対応する前記床梁にそれぞれ緊結手段によって直接的に緊結され、
前記床の前記第２の直線状端縁は、その谷部が対応する前記床梁と位置が一致しないことで当該床梁に緊結手段によって直接的に緊結されず、前記調整部材を介して緊結され、
前記調整部材は、クランク状断面を有し、一端が前記連結体の山部に緊結され、他端が対応する前記床梁に緊結されていることを特徴とする請求項１記載の鉄骨造建物の床構造。
【請求項４】
前記床梁が所定の平面モジュールを有し、
前記連結体の山のピッチは、前記平面モジュールよりも小さく、且つ、前記平面モジュールの整数分の１とならない場合において、
前記第２の直線状端縁の前記谷部が対応する前記床梁と位置が一致しないことで形成される、前記谷部と前記床梁との間の寸法は、前記デッキプレート同士の重なりの調整により、所定の数値よりも小さくなるように設定されていることを特徴とする請求項３記載の鉄筋造建物の床構造。
【発明の詳細な説明】
【技術分野】
【０００１】
本発明は、鉄骨造建物の床構造に関する。
【背景技術】
【０００２】
鉄骨の柱や梁で軸組が構成された鉄骨軸組工法の建物では、剛床とする（剛床仮定を成立させる）ために、デッキプレート上にコンクリートを打設して合成スラブを形成することが多い。この場合、波状端縁（断面が波状になっている側の端縁）についてのみ、底面と床梁の上フランジとを溶接して、床梁に対しデッキプレートを緊結する。
【０００３】
また、例えば床がＡＬＣパネル等で構成されている場合は床のみで剛床仮定を成立させることが難しく、この場合は、例えば床梁の下フランジの高さに水平ブレースを張設することで剛床仮定を成立させるのが一般的である。
【０００４】
一方、軽量化、施工の手間の削減、建設コストの削減等を目的として、特許文献１に記載のような構成が知られている。特許文献１では、屋根（屋上の床）のスラブとしてデッキプレートを用いてはいるがコンクリートは打設せず、デッキプレートの上に断熱材を敷設し、断熱材の上に防水シートを貼着して屋根を構成している。
【先行技術文献】
【特許文献】
【０００５】
【特許文献１】特開２００３−２６８９３２号公報
【発明の概要】
【発明が解決しようとする課題】
【０００６】
このような床構造において剛床仮定を成立させるためにデッキプレート上にコンクリートを打設することは、その目的に反することになる。また、水平ブレースを用いることは、重量増にはならないものの、施工の手間や建設コストの増加につながる。更に天井高を大きくとりたい場合に水平ブレースは邪魔となることもある。
【０００７】
本発明は、このような課題を解決するためになされたものであり、デッキプレートによって構成される床において、水平ブレースを用いることなく剛床仮定を成立させることができる床構造を提供することを目的とする。
【課題を解決するための手段】
【０００８】
本発明に係る床構造は、少なくとも波形状が連続する第１の方向に連結された複数のデッキプレートで構成される連結体を有する平面視矩形状の床と、床の端部を支持するように架けられた４本の床梁と、を備え、一のデッキプレートは、隣り合う他のデッキプレートと緊結され、床の四方の端縁は、対応する床梁にそれぞれ緊結されたことを特徴とする。
【０００９】
本発明に係る床構造によれば、床が、互いに緊結された複数のデッキプレートで構成されており、当該床の四方の端縁は、対応する床梁にそれぞれ緊結されている。このような構成によって、床の水平剛性が確保され、容易に剛床仮定が成立する床構造とすることができる。
【００１０】
また、本発明に係る床構造において、連結体は、平面視において第１の方向と直交する第２の方向に対向し、波状の断面形状を有する第１の波状端縁、及び第２の波状端縁と、第１の方向に対向し、直線状に延びる断面形状を有する第１の直線状端縁、及び第２の直線状端縁と、を有し、床の第１の波状端縁、第２の波状端縁、第１の直線状端縁、及び第２の直線状端縁は、対応する床梁にそれぞれ緊結手段によって直接的に緊結されることが好ましい。デッキプレートの山と谷のパターンによって、第２の直線状端縁の山部とそれに対応する床梁との位置が一致する場合は、調整部材などを用いることなく、四方の全てにおいて、連結体の端縁を直接的に各床梁に緊結することができる。
【００１１】
また、本発明に係る床構造において、床は、調整部材を更に有し、連結体は、平面視において第１の方向と直交する第２の方向に対向し、波状の断面形状を有する第１の波状端縁、及び第２の波状端縁と、第１の方向に対向し、直線状に延びる断面形状を有する第１の直線状端縁、及び第２の直線状端縁と、を有し、床の前記第１の波状端縁、第２の波状端縁、及び第１の直線状端縁は、対応する床梁にそれぞれ緊結手段によって直接的に緊結され、床の前記第２の直線状端縁は、その谷部が対応する床梁と位置が一致しないことで当該床梁に緊結手段によって直接的に緊結されず、前記調整部材を介して緊結され、調整部材は、クランク状断面を有し、一端が連結体の山部に緊結され、他端が対応する床梁に緊結されていることが好ましい。第２の直線状端縁の山部とそれに対応する床梁との位置が一致する場合であっても、調整部材を介して連結体の端縁を床梁に対して緊結することで、床の水平剛性が確保され、容易に剛床仮定が成立する床構造とすることができる。
【００１２】
また、本発明に係る床構造において、床梁が所定の平面モジュールを有し、連結体の山のピッチは、平面モジュールよりも小さく、且つ、平面モジュールの整数分の１とならない場合において、第２の直線状端縁の谷部が対応する床梁と位置が一致しないことで形成される、谷部と床梁との間の寸法は、デッキプレート同士の重なりの調整により、所定の数値よりも小さくなるように設定されていることが好ましい。デッキプレート同士の重なりを調整し、第２の直線状端縁と床梁との間を所定の数値以下とすることで、単一（一種類）の調整部材を用いて連結体の端縁を床梁に対して緊結することができ、制定、製造すべき調整部材の品種を減らすことができる。
【発明の効果】
【００１３】
本発明によれば、デッキプレートによって構成される床において、水平ブレースを用いることなく剛床仮定を成立させることができる。
【図面の簡単な説明】
【００１４】
【図１】本発明の実施形態に係る建物の概略構成図である。
【図２】本発明の実施形態に係る床構造の平面図である。
【図３】図２に示すＩＩＩ−ＩＩＩ線に沿った断面図である。
【図４】調整部材を用いない場合の構成を示す図であり、図３に対応する図である。
【図５】図２に示すＶ−Ｖ線に沿った断面図である。
【図６】デッキプレートの重なりのパターンを示す図である。
【図７】床を省略した床構造の平面図である。
【図８】図１においてＢで示す部分の詳細な構成の拡大図である。
【図９】図８に示すＩＸ−ＩＸ線に沿った断面図である。
【発明を実施するための形態】
【００１５】
以下、図面を参照しつつ本発明に係る床構造及び建物の好適な実施形態について詳細に説明する。
【００１６】
図１は、本実施形態に係る建物１の概略構成図である。本実施形態に係る建物１は、所定の平面モジュールＭ（例えばＭ＝３０５ｍｍ）を有する鉄骨軸組工法による工業化住宅である。建物１は、屋上階に対して本実施形態に係る床構造１００が適用されている。建物１の基礎２は格子状に構築された鉄筋コンクリート造の布基礎であり、一階床３を支持するためのＨ形鋼からなる梁４が適宜架け渡されている。軸組は、角形鋼管からなる柱６とＨ形鋼からなる梁４とからなり、当該軸組に耐力パネルが適宜付加されている。二階については全ての通り上に梁（大梁）７が存在し、二階床８を支持する為の梁（小梁）９も適宜大梁７に架け渡されている。床構造１００を適用することで、屋上階の床梁（屋根梁）４０は建物の外周部にのみ存在し、中通りの大梁及び小梁については省略することが可能となる（図１においてＡで示される部分を参照）。
【００１７】
一階床３及び二階床８は、ＡＬＣからなる床パネルで構成されている。外壁１２は外周部の梁に沿って立設されたＡＬＣパネルからなる。外壁１２の上端は屋上階の床（屋根）の仕上面よりも高く突出してパラペットが形成されている。
【００１８】
屋上階の床２０（＝屋根）は、デッキプレート２１（波状に折り曲げ加工した鋼板）からなる屋根スラブによって構成されている。また、床２０の上には、板状の合成樹脂発泡体からなる断熱材、断熱材を保護する保護板、及び保護板に接着された軟質の塩化ビニールからなる防水シートなどが敷設けられている。
【００１９】
図２〜図６を参照して、建物１の床構造１００の構造について詳細に説明する。なお、以下の説明においては、デッキプレート２１の波形状が連続する方向を「Ｄ１方向」とし、デッキプレート２１の山あるいは谷が延びる方向（すなわち平面視においてＤ１方向と直交する方向）を「Ｄ２方向」として説明する。図２〜図５に示すように、建物１の床構造１００は、Ｄ１方向に連結された複数のデッキプレート２１で構成される連結体２２を有する（更に、調整部材３１を有する場合もある）平面視矩形状の床２０と、床２０の端縁を支持するように架けられた床梁４０Ａ，４０Ｂ，４０Ｃ，４０Ｄと、を備えている。床２０の四方の端縁２０ａ，２０ｂ，２０ｃ，２０ｄは、対応する床梁４０Ａ，４０Ｂ，４０Ｃ，４０Ｄにそれぞれ緊結されている。なお、本実施形態において「緊結」とは、せん断力を伝達しうるように連結することを示す。床２０の端縁２０ａ，２０ｂ，２０ｃ，２０ｄが床梁４０Ａ，４０Ｂ，４０Ｃ，４０Ｄにそれぞれ緊結されることにより、床２０の水平剛性が確保され、容易に剛床仮定を成立させることができる。
【００２０】
床梁４０Ａ，４０Ｂ，４０Ｃ，４０Ｄは、床２０の四方を取り囲むように平面視矩形枠状に配置されている。床梁４０Ａと床梁４０Ｂは、Ｄ２方向に対向するように配置されている。床梁４０Ｃと床梁４０Ｄは、Ｄ１方向に対向するように配置されている。床梁４０Ａ，４０Ｂ，４０Ｃ，４０Ｄは、矩形の四隅においてそれぞれの端部が突き合わせられ、互いに緊結されている。床梁４０Ａ，４０Ｂ，４０Ｃ，４０Ｄは、上フランジ４１と、下フランジ４２と、上フランジ４１と下フランジ４２を結合するウェブ４３を備えている。
【００２１】
デッキプレート２１は、平坦な山部２４と谷部２６、そして山部２４と谷部２６をつなぐウェブ部２７からなり、ウェブ部２７は７５〜８５°程度の傾斜角を有している。デッキプレート２１は、高い剛性を確保するために金属製であることが好ましい。デッキプレート２１の材質は、具体的には、溶融亜鉛メッキ鋼板、ガルバリウム鋼板、ステンレス鋼板などの鋼板が好ましい。山部２４と谷部２６の波形状のパターンがＤ１方向に連続することで、一枚のデッキプレート２１が構成される。本実施形態では、一枚のデッキプレート２１に山部２４が三つ形成されるように波形状が連続しているが、連続の回数は特に限定されない。デッキプレート２１のＤ１方向における両端部は、谷部２６となっている（一部、ウェブ部２７が立ちがっていてもよい）。
【００２２】
連結体２２は、複数枚のデッキプレート２１をＤ１方向に連結したものである。一のデッキプレート２１は、隣り合う他のデッキプレート２１と緊結されている。具体的には、隣り合うデッキプレート２１同士の一部を重ね合わせ、谷部２６の重なり部分においてドリルネジ３０にて緊結されている。デッキプレート２１単体のピッチ（山のピッチまたは谷のピッチ）はＡｍｍ（例えば２００ｍｍ）に設定されており、連結体２２のデッキプレート２１同士の連結部におけるピッチもＡｍｍとなるように連結されている。ピッチＡｍｍは平面モジュールＭよりも小さく、且つ、平面モジュールＭの整数分の１に一致していない。例えば図６に示すように、連結体２２のＤ１方向の長さは、デッキプレート２１同士の重なり量を変更することによってＡｍｍ単位で調整可能である。連結体２２は、Ｄ２方向に対向し、波状の断面形状を有する波状端縁２２ａ、及び波状端縁２２ｂを有している。また、連結体２２は、Ｄ１方向に対向し、直線状に延びる断面形状を有する直線状端縁２２ｃ、及び直線状端縁２２ｄを有している。
【００２３】
連結体２２の波状端縁２２ａ（床２０の端縁２０ａに該当する）は、床梁４０Ａの上端４０ａ、すなわち上フランジ４１の内側片に載置されて、谷部２６においてドリルネジ３０にて緊結されている。連結体２２の波状端縁２２ｂ（床２０の端縁２０ｂに該当する）は、床梁４０Ｂの上端４０ａ、すなわち上フランジ４１の内側片に載置されて、谷部２６においてドリルネジ３０にて緊結されている。連結体２２の直線状端縁２２ｃ（床２０の端縁２０ｃに該当する）は、床梁４０Ｃの上端４０ａ、すなわち上フランジ４１の内側片に載置されて、谷部２６においてドリルネジ３０にて緊結されている。
【００２４】
連結体２２の直線状端縁２２ｄと床梁４０Ｄとの緊結方法は、当該直線状端縁２２ｄの谷部２６と床梁４０Ｄとの位置関係によって、緊結手段で直接的に緊結する場合と、調整部材３１によって間接的に緊結する場合がある。連結体２２の直線状端縁２２ｄの谷部２６と床梁４０Ｄとの位置が一致しない場合は、デッキプレート２１の重なり量を増減させることでＡｍｍ単位で調整し、それでもなお一致しない場合には調整部材３１を用いる。
【００２５】
図４に示すように、直線状端縁２２ｄの谷部２６と床梁４０Ｄと位置が一致する場合、連結体２２の直線状端縁２２ｄは、床梁４０Ｄの上端４０ａ、すなわち上フランジ４１の内側片に載置されて、谷部２６においてドリルネジ３０にて緊結される。なお、直線状端縁２２ｄの谷部２６と床梁４０Ｄと位置が一致する状態とは、緊結手段によって緊結可能な程度に、谷部２６と床梁４０Ｄの上フランジ４１とが重なっている状態である。この場合、連結体２２の直線状端縁２２ｄが床２０の端縁２０ｄに該当する。
【００２６】
図３に示すように、直線状端縁２２ｄの谷部２６と床梁４０Ｄと位置が一致しないことにより、直接的に緊結できない場合、連結体２２の直線状端縁２２ｄは、調整部材３１を介して床梁４０Ｄの上フランジ４１の内側片に間接的に緊結される。調整部材３１は、クランク状断面を有しており、デッキプレート２１の山部２４と重なるように平面状に広がる上平板部３２と、床梁４０Ｄの上フランジ４１と重なるように平面状に広がる下平板部３３と、上平板部３２と下平板部３３とを接続するウェブ部３４と、を備えている。Ｄ１方向における調整部材３１の一端である上平板部３２は、連結体２２の山部２４に載置されてドリルネジ３０にて緊結される。Ｄ１方向における調整部材３１の他端である下平板部３３は、床梁４０Ｄの上端４０ａ、すなわち上フランジ４１の内側片に載置されてドリルネジ３０にて緊結される。この場合、調整部材３１の下平板部３３が床２０の端縁２０ｄに該当する。なお、図２は調整部材３１を用いた場合の様子を示している。
【００２７】
なお、直線状端縁２２ｄの谷部２６と床梁４０Ｄと位置が一致しない状態とは、緊結手段によって緊結可能な程度に、谷部２６と床梁４０Ｄの上フランジ４１とが重なっていない状態である。例えば、図３に示すように、谷部２６と床梁４０Ｄの上フランジ４１との間に寸法Ｌの空隙が形成される場合である。あるいは、空隙が形成されないとしても、谷部２６と上フランジ４１が僅かに接触するだけで、緊結できる程度に重なっていないような場合である。直線状端縁２２ｄの谷部２６が床梁４０Ｄと位置が一致しないことで形成される、谷部２６と床梁４０Ｄとの間の寸法Ｌは、デッキプレート２１同士の重なりの調整により、所定の数値よりも小さくなるように設定されていることが好ましい。デッキプレート２１同士の重なりを調整し、直線状端縁２２ｄと床梁４０Ｄとの間を所定の数値以下とすることで、単一（一種類）の調整部材３１を用いて連結体２２の直線状端縁２２ｄを床梁４０Ｄに対して間接的に緊結することができ、制定、製造すべき調整部材３１の品種を減らすことができる。
【００２８】
上記構成により、床２０の水平剛性が確保されて、せん断力が確実に伝達され、床２０の変形を防止することができる。また、床２０は、床梁４０の上端の弱軸方向の変位を拘束するように、床梁４０に緊結されている。床梁４０の上端である上フランジ４１が、高い剛性を有するデッキプレート２１で構成される床２０に緊結されているので、床梁４０の上端側の座屈が防止される。なお、上述の実施形態では床梁４０と床２０とを緊結するための緊結手段、及びデッキプレート２１同士を緊結するための緊結手段としてドリルネジ３０を例示したが、例えば、リベットなどを用いてもよい。
【００２９】
次に、図７〜図９を参照して、建物１の床構造１００の構成について更に詳細に説明する。図７では、床２０が省略されている。図７〜図９に示すように、四方の床梁４０Ａ，４０Ｂ，４０Ｃ，４０Ｄで囲まれる領域には、床梁を補剛する補剛梁５０と、補剛梁５０に支持された野縁受け７０と、野縁受け７０に支持された野縁８０と、が設けられている。
【００３０】
補剛梁５０は、互いに対向する床梁４０に架け渡されたＨ形鋼であり、両端がジョイント金物６０によって各床梁４０に接合されている。補剛梁５０には、床梁４０よりも梁成の小さいＨ形鋼が用いられている。具体的に、補剛梁５０は、床２０の連結体２２の波状端縁２２ａを支持する床梁４０Ａと、波状端縁２２ｂを支持する床梁４０Ｂに架け渡されている。補剛梁５０は、Ｄ１方向において所定値以下の間隔となるように、複数本架け渡されている。補剛梁５０は、床梁４０の上フランジ４１と下フランジ４２の間、すなわち床梁４０の上端４０ａと下端４０ｂとの間であって、上端４０ａ寄りの位置に、補剛梁５０の上フランジが、床梁４０の上フランジ４１より僅かに低くなるように配置されている。前述の床２０が床梁４０の上端４０ａ側の弱軸方向の変位を拘束するのに対し、補剛梁５０は、床梁４０の下端４０ｂ側の弱軸方向の変位を拘束するように接合されている。
【００３１】
ジョイント金物６０は、補剛梁５０と結合される補剛梁用結合部６１と、床梁４０と結合される床梁用結合部６３と、補剛梁用結合部６１の基端部から床梁４０のウェブ４３に沿って下方へ延びるリブ部６４と、を備えている。補剛梁用結合部６１は、補剛梁５０の上フランジと下フランジとの間に配置され、補剛梁５０のウェブと重ね合わされてボルト６６によって補剛梁５０と結合される。補剛梁用結合部６１は、床梁４０の上端４０ａ寄りの位置に配置されている。
【００３２】
床梁用結合部６３は、床梁４０の上フランジ４１と下フランジ４２との間に配置され、床梁４０のウェブ４３と重ね合わされてボルト６６によって床梁４０と結合される。床梁用結合部６３の上端は補剛梁用結合部６１の上端と一致している。床梁用結合部６３の下端は補剛梁用結合部６１の下端よりも下方まで延びており、床梁４０の下端４０ｂ寄りの位置まで延びている。ボルト６６により床梁用結合部６３と床梁４０のウェブ４３とを結合する結合部分は、上下方向に複数箇所（図８、９では三箇所）設けられており、補剛梁５０よりも下方側の位置にも設けられている。リブ部６４は、その下端が床梁用結合部６３の下端と一致するように、補剛梁用結合部６１より下方へ延びている。リブ部６４の縁部６４ａは、床梁４０の下フランジ４２の先端４２ａよりも外側に突出しないように構成されている。
【００３３】
床梁用結合部６３の一部とリブ部６４により、補剛梁用結合部６１から下方へ屈曲する屈曲部６２が構成されている。この屈曲部６２は、床梁４０幅方向における内側の領域におさまるように、下方へ屈曲している。すなわち、ジョイント金物６０のうち、補剛梁用結合部６１よりも下側に位置する部分は、床梁４０の下フランジ４２の先端４２ａよりもウェブ４３側の領域におさまるように（上フランジ４１の先端と下フランジ４２の先端とを仮想線で結んだとき、屈曲部６２がその仮想線よりも外側に突出しないように）構成されている。これによって、屈曲部６２（リブ部６４）が内装壁８２や天井ボード８１と干渉することを防止することができる。従って、床梁４０の下フランジ４２の先端４２ａに沿って内装壁８２を設置したとしても、ジョイント金物６０が内装壁８２や天井ボード８１と干渉したり、内装壁８２や天井ボード８１の表面から突出したりすることを防止できる。
【００３４】
屈曲部６２の下端６２ａ（すなわち床梁用結合部６３とリブ部６４の下端）は、床梁４０の下端４０ｂ寄りの位置まで延び、ボルト６６にて結合されている。屈曲部６２の下端６２ａは、床梁４０の下フランジ４２から離れていてもよいが、下フランジ４２と接触する位置まで延びていてもよい。更に、下フランジ４２にまで及ぶ屈曲部６２の下端６２ａに、下フランジ４２と重ね合わされるような固定片を設け、当該固定片と下フランジ４２とをボルトで固定してもよい。補剛梁５０を床梁４０に接合するジョイント金物６０が、床梁４０の下端４０ｂ寄りの位置まで下方に屈曲しているため、床梁４０の下端側の部分の座屈を防止することができる。
【００３５】
このようなジョイント金物６０を用いることで、補剛梁５０は、床梁４０の下端４０ｂ側を拘束することができる。ここで、「下端４０ｂ側を拘束」とは、補剛梁５０が床梁４０の上端４０ａ（上フランジ４１）を除く位置で拘束されることを示す。ジョイント金物６０では、複数箇所で床梁４０と結合されているが、上端４０ａを除く少なくとも一箇所で結合されていてもよい。
【００３６】
補剛梁５０の下フランジにはボルト孔が所定のピッチで穿設され、当該ボルト孔に吊り木７１がボルト締めされている。この吊り木７１によって野縁受け７０が支持されている。野縁受け７０は、補剛梁５０と平行にＤ２方向に延びている。この野縁受け７０の下面には、野縁８０が固定されている。野縁８０は、野縁受け７０と直交するようにＤ１方向に延びており、所定間隔で複数本並べられている。野縁８０の両端は、際野縁８３で受けられている。野縁８０の下面には、天井ボード８１が固定されている。天井ボード８１は、床梁４０の下端４０ｂよりも高い位置であって、補剛梁５０の下端に近い高さに設定される。このように、本実施形態に係る建物１では、天井ボード８１の高さを床梁４０の下端４０ｂよりも高い位置に設定することができ、そのような高さ設定としても、補剛梁５０やジョイント金物６０が、天井ボード８１や内装壁８２の表面から突出することがない。すなわち、広い室内空間を確保することができる。
【００３７】
床２０より上方に延びるパラペットの裏面から上端面に沿って、防水シートを接着するためのＬ字断面の防水鋼板８４が取り付けられている。
【００３８】
次に、本実施形態に係る建物１、及び床構造１００の作用・効果について説明する。
【００３９】
本実施形態に係る床構造１００は、少なくともＤ１方向に連結された複数のデッキプレート２１で構成される連結体２２を有する平面視矩形状の床２０と、床２０の端縁２０ａ，２０ｂ，２０ｃ，２０ｄを支持するように架けられた４本の床梁４０Ａ，４０Ｂ，４０Ｃ，４０Ｄと、を備えている。また、一のデッキプレート２１は、隣り合う他のデッキプレート２１と緊結され、床２０の四方の端縁２０ａ，２０ｂ，２０ｃ，２０ｄは、床梁４０Ａ，４０Ｂ，４０Ｃ，４０Ｄにそれぞれ緊結されている。このような構成によって、床２０の水平剛性が確保され、容易に剛床仮定が成立する床構造とすることができる。
【００４０】
本実施形態に係る建物１は、床梁４０と、床梁４０の上端４０ａに対して端縁２０ａ，２０ｂ，２０ｃ，２０ｄが緊結された金属製のデッキプレート２１を有する床２０と、床梁４０に、当該床梁４０の下端４０ｂ側を拘束するように架け渡された補剛梁５０と、を備えている。この構成によれば、床２０（高い剛性を有するデッキプレート２１を備える）の端縁２０ａ，２０ｂ，２０ｃ，２０ｄが、床梁４０の上端４０ａに対して緊結されているため、床２０は、床梁４０の上端４０ａ側の補剛の機能を持つことができる。一方、補剛梁５０は、床梁４０の下端４０ｂ側を拘束するように床梁４０に架け渡されているため、床梁４０の下端４０ｂ側の補剛の機能を持つことができる。このように、床２０と補剛梁５０とで床梁４０を補剛することによって、補剛梁５０の断面を過度に大きくする必要がなくなり、合理的な架構とすることができる。
【００４１】
また、補剛梁５０は、床２０の波状端縁２２ａ，２２ｂを支持する床梁４０Ａ，４０Ｂに架け渡されている。このように、床２０の荷重の大半を負担する波状端縁２２ａ，２２ｂを支持する床梁４０Ａ，４０Ｂに対し、補剛梁５０が架け渡される。従って、構造的に不利になり座屈が発生しやすい側の床梁である床梁４０Ａ，４０Ｂを効率よく補剛でき、補剛梁５０の長さも短くできるので更に合理的な架構とすることができる。
【００４２】
本実施形態に係る建物１では、ジョイント金物６０は、床梁４０の幅方向における内側の領域（下フランジ４２の先端４２ａよりウェブ４３側の領域）におさまるように下方に屈曲する屈曲部６２を有している。補剛梁５０は、床梁４０の上端４０ａ寄りに位置すると共に、床梁４０の下端４０ｂの弱軸方向の変位を拘束するように、ジョイント金物６０を介して床梁４０に接合されている。このような構成によれば、補剛梁５０が床梁４０の上端４０ａ寄りの高い位置に架け渡されているため、天井の高さを高くしても、補剛梁５０の部分だけが突出してしまうことを防止できる。また、ジョイント金物６０が床梁４０の幅方向における内側の領域から突出しない構成となっているため、天井の高さを高くしても、ジョイント金物６０の屈曲部６２の部分だけが内装壁の仕上がり面から突出してしまうことを防止できる。従って、突出部のない高い天井が確保された室内空間を形成することができる。また、高い剛性を有するデッキプレート２１を備えた床２０の端縁２０ａ，２０ｂ，２０ｃ，２０ｄと床梁４０の上端４０ａとを緊結させることで、床２０は、床梁４０の上端４０ａ側の補剛の機能を持つことができる。一方、補剛梁５０は床梁４０の下端４０ｂ側の補剛の機能を持つことができる。このように、床２０と補剛梁５０とで床梁４０を補剛することによって、補剛梁５０の断面を過度に大きくする必要がなくなり、更に天井を高くすることができる。
【００４３】
また、床２０は、４辺において、それぞれの床梁４０Ａ，４０Ｂ，４０Ｃ，４０Ｄの上端４０ａに緊結されている。この構成によれば、デッキプレート２１を備えた床２０がせん断力を伝達しうるので、剛床仮定を成立させるために水平ブレースを架け渡す必要がなく、高い天井高を更に形成し易くすることができる。
【００４４】
本発明は上述の実施形態に限定されるものではない。例えば、上述の実施形態は一例に過ぎず、梁、柱、補剛梁、野縁などの各材料の種類や大きさや本数や組み方等は発明の趣旨の範囲内で適宜変更してもよい。
【００４５】
また、上述の実施形態では、デッキプレート２１の波形状が連続するＤ１方向のみにデッキプレート２１が連結されており、Ｄ２方向に対向する床梁４０Ａと床梁４０Ｂとの間の寸法は一枚分のデッキプレート２１の長さに対応する大きさとなっていたが、床梁４０Ａ，４０Ｂの間の寸法を大きくし、Ｄ２方向に対してもデッキプレート２１が連結される構成としてもよい。この場合、一のデッキプレート２１の波状端縁と他のデッキプレート２１の波状端縁とを一部重ね合わせて連結する。
【００４６】
また、本発明においては、床２０の四方の端縁が床梁４０Ａ，４０Ｂ，４０Ｃ，４０Ｄに結合されていればよく、補剛梁５０やジョイント金物６０などの構成は適宜変更してもよい。
【符号の説明】
【００４７】
１…建物、２０…床、２１…デッキプレート、２２…連結体、２２ａ…波状端縁（第１の波状端縁）、２２ｂ…波状端縁（第２の波状端縁）、２２ｃ…直線状端縁（第１の直線状端縁）、２２ｄ…直線状端縁（第２の直線状端縁）、２４…山部、２６…谷部、３０…ドリルネジ（結合手段）、３１…調整部材、４０…床梁、５０…補剛梁、６０…ジョイント金物、６２…屈曲部、１００…床構造。
【図１】
2013023984.tif 000003
【図２】
2013023984.tif 000004
【図３】
2013023984.tif 000005
【図４】
2013023984.tif 000006
【図５】
2013023984.tif 000007
【図６】
2013023984.tif 000008
【図７】
2013023984.tif 000009
【図８】
2013023984.tif 000010
【図９】
2013023984.tif 000011